(57)【要約】【課題】ＣＤ３２、ＦＤ３４、ＵＳＢメモリ３６に対するデータの処理そのものを制限できるパソコン１を提供し、セキュリティレベルを向上させる。【解決手段】入力を受け付けるマウスおよびキーボードと、画像を表示するモニタと、持ち運び可能なＣＤ３２、ＦＤ３４、ＵＳＢメモリ３６に記憶のデータを処理するＣＤドライブ１２、ＦＤドライブ１４、ＵＳＢ端子１６と、これらを制御する制御部１１とを備えたパソコン１に、前記ＣＤドライブ１２、ＦＤドライブ１４、ＵＳＢ端子１６に、前記ＣＤ３２、ＦＤ３４、ＵＳＢメモリ３６に取り付けられたＲＦＩＤタグ３３，３５，３７からタグデータを読み取るタグリーダ１３，１５，１７を備えた。【選択図】図１
2008040526.tif 000002
【特許請求の範囲】
【請求項１】
入力を受け付ける入力手段と、画像を表示する表示手段と、持ち運び可能な外部記憶媒体に記憶のデータを処理するデータ処理手段と、これらを制御する制御手段とを備えたコンピュータ装置であって、
前記データ処理手段に、前記外部記憶媒体に取り付けられた非接触ＩＣタグからタグデータを読み取るタグリーダ部を備えた
コンピュータ装置。
【請求項２】
前記制御手段は、
前記データ処理手段にセットされた外部記憶媒体の非接触ＩＣタグから前記タグリーダ部によってタグデータを読み取るタグデータ読取処理と、
読み取ったタグデータに基づいて前記外部記憶媒体が正規の外部記憶媒体であるか否か判定する判定処理と、
正規であると判定した場合に前記データ処理手段による前記外部記憶媒体とのデータ処理を許可し、正規でないと判定した場合に前記データ処理手段による前記外部記憶媒体とのデータ処理を拒否するデータ処理制限処理とを実行する構成とした
請求項１記載のコンピュータ装置。
【請求項３】
前記データ処理を、前記外部記憶媒体にデータを書き込むデータ書込処理とした
請求項１または２記載のコンピュータ装置。
【請求項４】
前記データ処理を、前記外部記憶媒体からデータを読み取るデータ読取処理とした
請求項１または２記載のコンピュータ装置。
【請求項５】
前記データ処理手段を、前記外部記憶媒体の種類に対応させて複数種類備え、
各データ処理手段に備えられた互いのタグリーダ部の間に、通信波を遮断する通信波遮断手段を備えた
請求項１から４のいずれか１つに記載のコンピュータ装置。
【発明の詳細な説明】
【技術分野】
【０００１】
この発明は、例えばデスクトップ型コンピュータやノート型コンピュータなど、データを用いた情報処理に供されるようなコンピュータ装置に関し、特に外部記憶媒体に対するデータ処理を実行可能なコンピュータ装置に関する。
【背景技術】
【０００２】
従来、パーソナルコンピュータ等のコンピュータ装置が用いられており、このコンピュータ装置には、ＵＳＢメモリやフレキシブルディスク、ＣＤ−ＲＯＭ、ＤＶＤ−ＲＯＭ、ＭＯといった各種の外部記憶媒体に対してデータを読み書きする各種ドライブが設けられている。
【０００３】
この各種ドライブにより、外部記憶媒体にデータを書き込み他のコンピュータ装置へデータをコピーする、あるいは外部記憶媒体からコンピュータ装置にデータを取り込むといったことができる。
【０００４】
近年では、個人情報保護法が施行されたこともあり、データの保護が重要視されている。そして、このデータを保護する方法として、不正コピーを防止する種々の方法が提案されている。
【０００５】
例えば、外部記憶媒体とセットとなる認証キーを記憶した認証媒体を使用し、該認証媒体から認証キーをインストールしたコンピュータ装置でなければ外部記憶媒体に記憶されているデータを閲覧できない媒体コピープロテクト方法が提案されている（特許文献１参照）。
【０００６】
また、利用者が使用するコンピュータ装置のドライブＩＤとシリアル番号を予め聞いて外部記憶媒体または別途の媒体に記憶しておき、このドライブＩＤとシリアル番号とを照合して不正コピーを防止する方法が提案されている（特許文献２参照）。
【０００７】
しかし、これらの方法では、不正コピーによってデータが記憶された外部記憶媒体からコンピュータ装置がデータを読み取ることを防止できても、外部記憶媒体にデータをコピーすること自体を防止できるものではなかった。このため、データを不正にコピーした外部記憶媒体に対して不正にアクセスされると、データが読み取られる可能性があるという問題点が残っていた。
【０００８】
【特許文献１】特開２００２−４２３６３号公報
【特許文献２】特開２００１−１９５３０８号公報
【発明の開示】
【発明が解決しようとする課題】
【０００９】
この発明は、上述の問題に鑑み、外部記憶媒体に対するデータの処理そのものを制限できるコンピュータ装置を提供し、セキュリティレベルを向上させることを目的とする。
【課題を解決するための手段】
【００１０】
この発明は、入力を受け付ける入力手段と、画像を表示する表示手段と、持ち運び可能な外部記憶媒体に記憶のデータを処理するデータ処理手段と、これらを制御する制御手段とを備えたコンピュータ装置であって、前記データ処理手段に、前記外部記憶媒体に取り付けられた非接触ＩＣタグからタグデータを読み取るタグリーダ部を備えたコンピュータ装置であることを特徴とする。
【００１１】
好ましい形態として、前記制御手段は、前記データ処理手段にセットされた外部記憶媒体の非接触ＩＣタグから前記タグリーダ部によってタグデータを読み取るタグデータ読取処理と、読み取ったタグデータに基づいて前記外部記憶媒体が正規の外部記憶媒体であるか否か判定する判定処理と、正規であると判定した場合に前記データ処理手段による前記外部記憶媒体とのデータ処理を許可し、正規でないと判定した場合に前記データ処理手段による前記外部記憶媒体とのデータ処理を拒否するデータ処理制限処理とを実行する構成とすることができる。
【発明の効果】
【００１２】
この発明により、外部記憶媒体に対するデータの処理そのものを制限できるコンピュータ装置を提供し、セキュリティレベルを向上させることができる。
【発明を実施するための最良の形態】
【００１３】
この発明の一実施形態を以下図面と共に説明する。  
図１はパソコン１の概略構成を示す斜視図であり、図２はパソコン１のブロック図である。
【００１４】
パソコン１は、本体１０と、図示省略する入力手段としてのマウスおよびキーボード、および表示手段としてのモニタによって構成されている。  
前記本体１０は、ベース筐体１０ａとカバー筐体１０ｂとで構成されており、その内に、マザーボードで構成される制御部１１、ＣＤドライブ１２、ＦＤドライブ１４、ＵＳＢ端子１６、キーボード接続端子２１、マウス接続端子２２、モニタ接続端子２３、電源部２４、ハードディスク２５、およびＰＣＩカード２７が設けられている。
【００１５】
制御部１１は、ＣＰＵ、ＲＯＭ、およびＲＡＭと配線基板等で構成されており、ＣＰＵがＲＯＭに記憶された起動プログラムによって起動し、ハードディスク２５に記憶されたＯＳ（オペレーティングシステム）およびアプリケーションプログラムを実行し、ＲＡＭを一時領域として各種動作を実行する。
【００１６】
ＣＤドライブ１２は、制御部１１の制御信号に従って、ＣＤ（コンパクトディスク）３２に記憶されているデータ（純粋データだけでなくプログラムも含む）を読み込み、該データを制御部１１に渡す。また、ＣＤドライブ１２にはタグリーダ１３が設けられており、該タグリーダ１３がＣＤ３２に取り付けられたＲＦＩＤタグ３３から読み取ったタグデータも制御部１１に渡す。
【００１７】
このタグリーダ１３は、ＣＤ３２がセットされるトレイ１２ａの近傍に備えられており、好ましくはトレイ１２ａを閉状態としてＣＤ３２を内部に取り込んだ状態で該ＣＤ３２の中心を保持して回転させる回転駆動部（図示省略）の近傍に備えられている。また、円盤形のＣＤ３２には、中心近傍にＲＦＩＤタグ３３が備えられている。従って、回転するＣＤ３２がどの位置で停止していても、ＲＦＩＤタグ３３とタグリーダ１３が近い位置関係となるように構成されている。
【００１８】
ＦＤドライブ１４は、制御部１１の制御信号に従って、ＦＤ（フレキシブルディスク）３４に対してデータ（純粋データだけでなくプログラムも含む）の読み書きを行う。また、ＦＤドライブ１４にはタグリーダ１５が設けられており、該タグリーダ１５がＦＤ３４に取り付けられたＲＦＩＤタグ３５から読み取ったタグデータも制御部１１に渡す。
【００１９】
このタグリーダ１５はＦＤドライブ１４の内部に備えられており、好ましくはＦＤ３４を内部に取り込んだ状態で該ＦＤ３４のＲＦＩＤタグ３５の近傍となる位置に備えられている。また、ＦＤ３４には、内部の磁気ディスク（図示省略）を傷つけない位置にＲＦＩＤタグ３５が備えられている。
【００２０】
ＵＳＢ端子１６は、ＵＳＢメモリ３６などのＵＳＢ機器を接続する端子であり、接続されたＵＳＢ機器は制御部１１の制御信号に従って制御される。ＵＳＢ端子１６の近傍には、タグリーダ１７が設けられており、該タグリーダ１７がＵＳＢメモリ３６に取り付けられたＲＦＩＤタグ３７から読み取ったタグデータも制御部１１に渡す。
【００２１】
このタグリーダ１７は、ＵＳＢ端子１６に接続されたＵＳＢメモリ３６のＲＦＩＤタグ３７の近傍となる位置で、２つ並べて設けられているＵＳＢ端子１６の互いの外側に対称に配置されている。また、ＵＳＢメモリ３６には、ＵＳＢ端子１６に接続する接続部３６ａの近傍にＲＦＩＤタグ３７が備えられている。
【００２２】
これらのＲＦＩＤタグ３３，３５，３７は、ＩＣチップとアンテナとで構成されており、ＩＣチップ内の不揮発性メモリに所有者を特定する社員ナンバーなどの所有者特定情報を予め記憶している。従って、タグリーダ１３，１５，１７でＲＦＩＤタグ３３，３５，３７からタグデータを読み取る際に、このタグデータに含まれている所有者特定情報を読み取ることで、誰が所有する外部記憶媒体であるか特定できる。
【００２３】
キーボード接続端子２１は、キーボードを接続する端子であり、キーボードからの入力信号を制御部１１に渡す。  
マウス接続端子２２は、マウスを接続する端子であり、マウスからの入力信号を制御部１１に渡す。
【００２４】
モニタ接続端子２３は、ＣＲＴモニタや液晶モニタといったモニタを接続する端子であり、制御部１１からの画像信号を接続されたモニタに渡す。  
電源部２４は、ＡＣ１００ボルトの電源を整流および変圧して制御部１１などの各種ユニットに電力供給を行う。
【００２５】
ハードディスク２５は、制御部１１の制御信号に従ってデータの読み書きを実行する。このハードディスク２５には、ＯＳや各種アプリケーションプログラムが記憶されており、データの書き込みや読み込みといったデータ処理を制限するデータ処理制限プログラムも記憶されている。  
ＰＣＩカード２７は、ＬＡＮカードやモデムカードやテレビキャプチャカードといった拡張機能用のカード類であり、制御部１１の制御信号に従って動作する。
【００２６】
図１に示すように、制御部１１を構成するマザーボードとＣＤドライブ１２およびＦＤドライブ１４の間には、電磁波防止シート４２が設けられている。この電磁波防止シート４２は、制御部１１を構成するマザーボードに対してＣＤドライブ１２およびＦＤドライブ１４全体を完全に分離するように隙間なく設けられている。
【００２７】
また、ＣＤドライブ１２とＦＤドライブ１４の間には、両者を完全に分離するように電磁波防止シート４３が隙間なく設けられている。  
また、２つのＵＳＢ端子１６，１６の間には、電磁波防止シート４１が設けられている。  
また、ベース筐体１０ａおよびカバー筐体１０ｂは、内側面の全面に渡って電磁波防止シート４４，４５が設けられている。  
これらの電磁波防止シート４１〜４５は、アルミなどの金属部材、アルミに炭素を含有した素材、パーマロイ、あるいはこれらを重合させた多層構造の素材等により構成する。
【００２８】
このように、電磁波防止シート４１〜４５が設けられていることにより、タグリーダ１３，１５，１７はそれぞれが確実に分離され、自己が非接触通信すべき対象となるＲＦＩＤタグ３３，３５，３７以外のＲＦＩＤタグと非接触通信することを防止できる。
【００２９】
図３は、外部記憶媒体であるＣＤ３２、ＦＤ３４およびＵＳＢメモリ３６に対してデータの読み書きを行う際のデータ処理を制限するデータ処理制限プログラムによる制御部１１の動作を示すフローチャートである。このデータ処理制限プログラムは、各デバイス（ＣＤドライブ１２、ＦＤドライブ１４、ＵＳＢ端子１６）を動作させるためのドライバプログラムに組み込み、このデータ制限プログラムの実行なしでは各デバイスに対するデータ処理を実行できない構成としている。従って、例えば各デバイスの専用プログラムのみによってデータ処理を実行可能とし、パソコン１のＯＳに付属している通常のファイル操作プログラムや他のプログラム等ではデバイスに対するデータ処理を実行できない構成とすることが好ましい。
【００３０】
制御部１１は、データ処理制限プログラムを実行し、マウスやキーボードの利用者の操作によるデータ処理の要求を受け付ける（ステップＳ１）。  
制御部１１は、要求されたデータ処理を実行するデバイス（ＣＤドライブ１２、ＦＤドライブ１４、ＵＳＢ端子１６のいずれか）に設けられたタグリーダ（１３，１５，１７のいずれか）により、ＲＦＩＤタグ（３３，３５，３７のいずれか）からタグデータを読み込む（ステップＳ２）。この読み込みの際、デバイスがＣＤドライブ１２であれば、回転駆動部の回転を停止してＣＤ３２を停止させた状態でＲＦＩＤタグ３３からタグデータを読み込む。
【００３１】
制御部１１は、読み込んだタグデータに基づいて正規のＲＦＩＤタグであるか否かを判定する（ステップＳ３）。この判定は、予め定めた正規品ＩＤをＲＦＩＤタグに記憶させておき、この正規品ＩＤが存在するか否かで判定する、または、予め定めた法則により処理した数列をＲＦＩＤタグに記憶させておき、この数列が前記法則に従ったものであるか否かで判定する、あるいは全ての外部記憶媒体（この実施例ではＣＤ３２、ＦＤ３４およびＵＳＢメモリ３６）の正規品ＩＤをハードディスク２５等の記憶手段に記憶しておき、記憶している正規品ＩＤと一致するか否かで判定するなど、適宜の構成とすることができる。
【００３２】
正規品であると判定した場合（ステップＳ４：ＹＥＳ）、制御部１１は、要求されたデータ処理（データの書き込み処理や読み取り処理）を実行し（ステップＳ５）、データ処理実行記録を履歴として保存し（ステップＳ６）、処理を終了する。このデータ処理実行記録として保存する情報は、ＲＦＩＤタグ３３，３５，３７から読み取った所有者特定情報、どのデータをどのデバイスに対して書き込みあるいは読み込みしたかという処理情報、及び実行日時等の情報で構成すると良い。
【００３３】
正規品でないと判定した場合（ステップＳ４：ＮＯ）、制御部１１は、モニタ接続端子２３に接続されたモニタにエラーメッセージを表示し（ステップＳ７）、処理を終了する。
【００３４】
以上の構成および動作により、全ての外部記憶媒体（この実施例ではＣＤ３２、ＦＤ３４およびＵＳＢメモリ３６）に対するデータの処理そのものを制限でき、セキュリティレベルを向上させることができる。
【００３５】
書き込み制限では、サーバからダウンロードする等してパソコン１のハードディスク２５に記憶されている個人情報や機密情報などの重要なデータが不正にコピーされることを防止することができる。この書き込み制限により、例えば使用可能な外部記憶媒体を社内で特定のものに限定し、この外部記憶媒体を用いなければデータを外部記憶媒体にコピーできないといった運用が可能となる。
【００３６】
また、読み込み制限では、破壊活動などを実行するウィルスが利用者の気づかないうちに外部記憶媒体からパソコン１のハードディスク２５にコピーされることを防止できる。つまり、正規の外部記憶媒体しか扱えないため、利用者が個人的に持ち込んだ外部記憶媒体などからデータをパソコン１に移すことができず、個人所有のパソコンなどから個人的なデータを持ち込むことによって社内のパソコン１がウィルス感染することを防止できる。
【００３７】
また、全てのタグリーダ１３，１５，１７は、電磁波防止シート４１，４２，４３，４４，４５によって分離されているため、異なる外部記憶媒体のＲＦＩＤタグ３３，３５，３７からタグデータを読み取ってしまうことを防止できる。特に、ＲＦＩＤタグが設けられていない外部記憶媒体（例えばＦＤ）をセットし、正規の外部記憶媒体（ＦＤ３２）をタグリーダ部（タグリーダ１３）に近づけて、タグデータのみ正規のものを認識させて実際には異なる外部記憶媒体にデータを書き込む（あるいは読み込む）といった不正行為を防止できる。
【００３８】
また、所有者特定情報を参照することにより、誰がデータ処理を行ったかも特定することができる。これにより、社員によって不正にデータがコピーされた場合、だれがデータを不正にコピーしたか特定することが可能となる。
【００３９】
なお、データ処理を行った者の特定は、所有者特定情報ではなく、パソコン１を操作するにあたって登録ユーザーにログインさせておき、履歴を蓄積する際にログインしていたユーザーも記憶することで特定してもよい。
【００４０】
なお、この実施例では外部記憶媒体としてＣＤ３２、ＦＤ３４およびＵＳＢメモリ３６を利用したが、これに限らず、ＣＤ−Ｒ，ＣＤ−ＲＷ，ＲＶＤ−ＲＯＭ，ＤＶＤ−ＲＡＭ等、多種類の外部記憶媒体を対象とすることができる。
【００４１】
また、データを磁気等で記憶する外部記憶媒体に限らず、印刷される印刷媒体を外部記憶媒体に含める構成としても良い。この場合、データの印刷を行うプリンタにタグリーダを備え、紙等の印刷媒体にＲＦＩＤタグを備えて、データ処理としてプリントアウトが要求された場合にステップＳ１〜Ｓ７を実行する構成とすればよい。
【００４２】
この発明の構成と、上述の実施形態との対応において、
この発明のコンピュータ装置は、実施形態のパソコン１に対応し、
以下同様に、
制御手段は、制御部１１に対応し、
データ処理手段は、ＣＤドライブ１２、ＦＤドライブ１４およびＵＳＢ端子１６に対応し、
タグリーダ部は、タグリーダ１３，１５，１７に対応し、
外部記憶媒体は、ＣＤ３２、ＦＤ３４およびＵＳＢメモリ３６に対応し、
非接触ＩＣタグは、ＲＦＩＤタグ３３，３５，３７に対応し、
通信波遮断手段は、電磁波防止シート４１〜４５に対応し、
タグデータ読取処理は、ステップＳ２に対応し、
判定処理は、ステップＳ３に対応し、
データ処理制限処理は、ステップＳ４，Ｓ５，Ｓ７に対応し、
データ書込処理は、ステップＳ５に対応し、
データ読取処理は、ステップＳ５に対応し、
入力手段は、マウスおよびキーボードに対応し、
表示手段は、モニタに対応するが、
この発明は、上述の実施形態の構成のみに限定されるものではなく、多くの実施の形態を得ることができる。
【図面の簡単な説明】
【００４３】
【図１】パソコンの概略構成を示す斜視図。
【図２】パソコンのブロック図。
【図３】データ処理制限プログラムの動作を示すフローチャート。
【符号の説明】
【００４４】
１…パソコン、１１…制御部、１２…ＣＤドライブ、１４…ＦＤドライブ、１６…ＵＳＢ端子、１３，１５，１７…タグリーダ、３２…ＣＤ、３４…ＦＤ、３６…ＵＳＢメモリ、３３，３５，３７…ＲＦＩＤタグ、４１〜４５…電磁波防止シート
【図１】
2008040526.tif 000003
【図２】
2008040526.tif 000004
【図３】
2008040526.tif 000005